(57)【要約】【課題】  ＰＡＬ駆動方式でフリッカーを低減させることができ、安定的にアドレス放電を遂行することができるプラズマ表示装置及びその駆動方法を提供する。【解決手段】  第１周波数より低い第２周波数の垂直同期信号を有し、一つのフレームを、各々の加重値を有する複数のサブフィールドに分割して階調を表示するプラズマ表示装置は、アドレス期間で走査電極に順に走査パルスを印加し、走査パルスが印加された走査電極に形成される放電セルのうち、点灯される放電セルのアドレス電極にアドレスパルスを印加する。この時、第１周波数による一つのフレームの時間と第２周波数による一つのフレームの時間の差のうちの少なくとも一部を前記アドレスパルス幅に割り当てる。【選択図】  図４
2006171690.tif 000002
【特許請求の範囲】
【請求項１】
複数の第１電極と複数の第２電極、及び前記第１電極と第２電極に交差する方向に形成される複数の第３電極を含み、第１周波数より低い第２周波数の垂直同期信号を有するプラズマ表示装置の駆動方法において、
一つのフレームを各々の加重値を有する複数のサブフィールドに分割し、
アドレス期間で、
前記第１電極に順に走査パルスを印加する段階、及び
前記走査パルスが印加された前記第１電極に形成される放電セルのうち、点灯される放電セルの第３電極にアドレスパルスを印加する段階を含み、
前記第１周波数による一つのフレームの時間と前記第２周波数による一つのフレームの時間の差のうちの少なくとも一部を前記アドレスパルス幅に割り当てる、プラズマ表示装置の駆動方法。
【請求項２】
前記第１周波数はＮＴＳＣ（National Television System Committee）の垂直同期周波数であり、前記第２周波数はＰＡＬ（Phase Alternate Line）の垂直同期周波数である、請求項１に記載のプラズマ表示装置の駆動方法。
【請求項３】
前記一つのフレームを、第１及び第２グループを含む複数のグループに分け、
前記複数のサブフィールドを、加重値の大きさ順に交互に前記第１及び第２グループに分割する、請求項２に記載のプラズマ表示装置の駆動方法。
【請求項４】
複数の第１電極と複数の第２電極、及び前記第１電極と第２電極に交差する方向に形成される複数の第３電極を含むプラズマ表示パネル、
一つのフレームを各々リセット期間、アドレス期間、及び維持期間を含む複数のサブフィールドに分割し、外部から入力される第１周波数より低い第２周波数の垂直同期信号から、前記第１周波数に相当する一つのフレームの時間と前記第２周波数に相当する一つのフレームの時間の差を、前記アドレス期間で選択しようとする放電セルの前記第３電極に印加されるアドレスパルス幅に割り当てるように制御する制御部、及び
前記アドレス期間で選択しようとする放電セルの前記第１電極及び第３電極に、各々走査パルス及びアドレスパルスを印加する駆動回路
を含むプラズマ表示装置。
【請求項５】
前記第１周波数はＮＴＳＣの垂直同期周波数であり、前記第２周波数はＰＡＬの垂直同期周波数である、請求項４に記載のプラズマ表示装置。
【請求項６】
前記制御部は、
前記複数のサブフィールドを、第１及び第２グループを含む複数のグループに分け、前記サブフィールドを、加重値の大きさ順に交互に前記第１及び第２グループに分割する、請求項５に記載のプラズマ表示装置。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを利用して文字又は映像を表示する平面表示装置であって、その大きさによって数十から数百万個以上の放電セルがマトリックス形態に配列されている。
【０００３】
図１は、従来の一つのフレームを構成するサブフィールドの配列を示した図である。図１では、一つのフレームを８個のサブフィールド（ＳＦ１〜ＳＦ８）に分けて示した。
図１に示したように、プラズマ表示装置では、一つのフレームが各々の輝度加重値を有する複数のサブフィールドに分割されて駆動され、一つのフレームを成す複数のサブフィールド（ＳＦ１〜ＳＦ８）に分割されて駆動され、各サブフィールド（ＳＦ１〜ＳＦ８）は、アドレス期間（Ａ１〜Ａ８）及び維持期間（Ｓ１〜Ｓ８）からなる。ここで、放電セルの階調は、８個のサブフィールド（ＳＦ１〜ＳＦ８）のうちの当該放電セルが点灯されるサブフィールドの加重値の合計により表現される。そして、各サブフィールド（ＳＦ１〜ＳＦ８）は、図１に示したように加重値の大きさ順に配列されたり、大きさの逆順に配列される。
【０００４】
アドレス期間（Ａ１〜Ａ８）は、パネルで点灯されるセルと点灯されないセルを選択する期間であり、維持期間（Ｓ１〜Ｓ８）は、点灯されるセルを相当期間の間維持放電させて画像を表示する期間である。この時、維持期間（Ｓ１〜Ｓ８）の長さが各サブフィールド（ＳＦ１〜ＳＦ８）の加重値に対応し、図１では、維持期間（Ｓ１〜Ｓ８）の長さを各々１Ｔ、２Ｔ、４Ｔ、８Ｔ、１６Ｔ、３２Ｔ、６４Ｔ、及び１２８Ｔに仮定した。そして、アドレス期間（Ａ１〜Ａ８）の前に放電セルの状態を初期化するためのリセット期間（図示せず）が形成されることもできる。
【０００５】
一般的に、６０Ｈｚの周波数で動作するＮＴＳＣ（National Television System Committee）方式では、一つのフレームの時間が１６.６７ｍｓ（＝１/６０秒）であり、５０Ｈｚの周波数で動作するＰＡＬ（Phase Alternate Line）方式では、一つのフレーム時間が２０ｍｓ（＝１/５０秒）である。
ＰＡＬ方式のように一つのフレームの時間が長い場合、図１のようなサブフィールドの配列を有すると、人が各フレームの時間を認識するようになり、人の目には画面が点滅する状態に見えることがある。つまり、フリッカー（flicker）現象が発生する。つまり、図１では、人の目に最も明るく見える加重値の大きいサブフィールドが全部フレームの端部に位置するため、人の目からは、実際にほぼ２０ｍｓ間隔で画面が変わるように感じられる。ところが、この程度の時間間隔は人の目に認識できる程度の長い時間であるので、実際に人の目には点滅する形態として認識される。
【発明の開示】
【発明が解決しようとする課題】
【０００６】
そして、アドレス期間では、全ての走査電極に順に一定の幅を有する走査パルスが印加されるため、アドレス期間に一定の期間を割り当てなければならない。しかし、一つのフレームの時間は限定されているため、アドレス期間に割り当てられる時間が減り、アドレス動作が正常に行われない恐れがある。
本発明が目的とする技術的課題は、ＰＡＬ駆動方式でフリッカーを減らすことができ、また、安定的にアドレス放電を遂行することができるプラズマ表示装置及びその駆動方法を提供することにある。
【課題を解決するための手段】
【０００７】
このような課題を解決するために本発明の一つの特徴によれば、複数の第１電極と複数の第２電極、及び前記第１電極と第２電極に交差する方向に形成される複数の第３電極を含み、第１周波数より低い第２周波数の垂直同期信号を有するプラズマ表示装置の駆動方法が提供される。この駆動方法は、一つのフレームを、各々の加重値を有する複数のサブフィールドに分割し、アドレス期間で、前記第１電極に順に走査パルスを印加する段階、及び前記走査パルスが印加された前記第１電極に形成される放電セルのうち、点灯される放電セルの第３電極にアドレスパルスを印加する段階を含み、前記第１周波数による一つのフレームの時間と前記第２周波数による一つのフレームの時間の差のうちの少なくとも一部を前記アドレスパルス幅に割り当てる。
この時、前記第１周波数はＮＴＳＣの垂直同期周波数であり、前記第２周波数はＰＡＬの垂直同期周波数とすることができる。
【０００８】
そして、本発明の他の一つの特徴によれば、プラズマ表示装置が提供される。この装置は、複数の第１電極と複数の第２電極、及び前記第１電極と第２電極に交差する方向に形成される複数の第３電極を含むプラズマ表示パネル、一つのフレームを、各々リセット期間、アドレス期間、及び維持期間を含む複数のサブフィールドに分割し、外部から入力される第１周波数より低い第２周波数の垂直同期信号から、前記第１周波数に相当する一つのフレームの時間と前記第２周波数に相当する一つのフレームの時間の差を、前記アドレス期間で選択しようとする放電セルの前記第３電極に印加されるアドレスパルス幅に割り当てるように制御する制御部、及び前記アドレス期間で選択しようとする放電セルの前記第１電極及び第３電極に、各々走査パルス及びアドレスパルスを印加する駆動回路を含む。
この時、前記制御部は、前記複数のサブフィールドを、第１及び第２グループを含む複数のグループに分け、前記サブフィールドを加重値の大きさ順に交互に前記第１及び第２グループに分割することができる。
【発明の効果】
【０００９】
本発明によれば、プラズマ表示装置でＰＡＬ方式の駆動時にフリッカーを低減させることができ、安定的にアドレス動作を遂行することができる。
【発明を実施するための最良の形態】
【００１０】
以下、添付した図面を参照して、本発明の実施形態について本発明の属する技術分野における通常の知識を有する者が容易に実施できるように詳細に説明する。しかし、本発明は多様に相違した形態で実現でき、ここで説明する実施形態に限定されない。図面においては、本発明を明確に説明するために説明上不要な部分は省略した。明細書全体を通じて類似な部分については同一な図面符号を付けた。
そして、本発明で言及される壁電荷とは、セルの壁（例えば、誘電体層）上で各電極の近くに形成される電荷を言う。そして、壁電荷は、実際に電極自体に接触はしないが、ここでは電極に“形成される”、“蓄積される”又は“積まれる”のように説明する。また、壁電圧は、壁電荷によってセルの壁に形成される電位差を言う。
【００１１】
次に、本発明の実施形態によるプラズマ表示装置及びその駆動方法について詳細に説明する。
まず、本発明の第１実施形態によるプラズマ表示装置の概略的な構造について、図２を参照して詳しく説明する。
図２は、本発明の第１実施形態によるプラズマ表示装置を示す図である。
図２に示したように、本発明の第１実施形態によるプラズマ表示装置は、プラズマ表示パネル１００、制御部２００、アドレス電極駆動部３００、走査電極駆動部４００、及び維持電極駆動部５００を含む。
【００１２】
プラズマ表示パネル１００は、列方向に延びている複数のアドレス電極（Ａ１〜Ａｍ）、そして行方向に互いに対を成しながら延びている複数の維持電極（Ｘ１〜Ｘｎ）、及び走査電極（Ｙ１〜Ｙｎ）を含む。維持電極（Ｘ１〜Ｘｎ）は、各走査電極（Ｙ１〜Ｙｎ）に対応して形成されている。そして、プラズマ表示パネル１００は、維持及び走査電極（Ｘ１〜Ｘｎ、Ｙ１〜Ｙｎ）が配列された基板（図示せず）と、アドレス電極（Ａ１〜Ａｍ）が配列された基板（図示せず）とを含む。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）が各々直交するように、放電空間を隔てて対向して配置される。この時、アドレス電極（Ａ１〜Ａｍ）と維持及び走査電極（Ｘ１〜Ｘｎ、Ｙ１〜Ｙｎ）の交差部にある放電空間が放電セルを形成する。このようなプラズマ表示パネル１００の構造は一例であり、以下で説明する駆動波形が適用できる他の構造のパネルも本発明に適用することができる。
【００１３】
制御部２００は、外部から映像信号を受信して、アドレス電極駆動制御信号、維持電極駆動制御信号、及び走査電極駆動制御信号を出力する。そして、制御部２００は、一つのフレームを複数のサブフィールドに分割して駆動し、各サブフィールドを時間的な動作変化で表現すれば、リセット期間、アドレス期間、及び維持期間からなる。そして、本発明の実施形態による制御部２００は、ＰＡＬ方式で一つのフレームを２個のグループに分け、加重値が相対的に大きいサブフィールドを２個のグループに分散させる。つまり、制御部２００は、一つのフレームで最も加重値の大きい２個のサブフィールドを２個のグループに各々割り当てる。
【００１４】
アドレス電極駆動部３００は、制御部２００からアドレス電極駆動制御信号を受信して、表示しようとする放電セルを選択するための表示データ信号を各アドレス電極（Ａ）に印加する。
走査電極駆動部４００は、制御部２００から走査電極駆動制御信号を受信して、走査電極（Ｙ）に駆動電圧を印加する。
維持電極駆動部５００は、制御部２００から維持電極駆動制御信号を受信して、維持電極（Ｘ）に駆動電圧を印加する。
【００１５】
次に、図３を参照して、本発明の第１実施形態によるＰＡＬ方式でのサブフィールド配列について詳細に説明する。
図３は、本発明の第１実施形態によるＰＡＬ方式でのサブフィールド配列を示した図である。
図３に示したように、一つのフレームを第１及び第２グループに分け、加重値が相対的に大きいサブフィールドを２個のグループに分散させる。つまり、制御部２００は、一つのフレームで最も加重値の大きい２個のサブフィールドを各々第１及び第２グループに割り当てる。図３において、第１グループにはサブフィールド（ＳＦ１、ＳＦ３、ＳＦ５、ＳＦ７、ＳＦ９）が割り当てられ、第２グループにはサブフィールド（ＳＦ２、ＳＦ４、ＳＦ６、ＳＦ８、ＳＦ１０）が割り当てられることを示した。この時、ＰＡＬ方式は、ＮＴＳＣ方式に比べて一つのフレームの時間が３.３３ｍｓだけさらに長いので、図３のようにサブフィールドをさらに割り当てることができる。
また、加重値の大きいサブフィールドが２個のグループに分散されるので、人の目には、実際にほぼ１０ｍｓ間隔で画面が変わるように感じられる。そして、この程度の時間間隔は人の目によく認識されないので、フリッカー現象を減らすことができる。
【００１６】
一般的に、二つの電極の間に電圧を印加して遂行される放電は、電圧が印加された時点より時間的に遅延して発生する。特に、アドレス期間でのアドレス放電は、走査パルスとアドレスパルスの幅内で放電が遂行されなければならないため、アドレス放電は放電遅延時間に大きな影響を受ける。
しかし、図３のようにサブフィールドを配列すれば、前のサブフィールドとの距離が相対的に遠くなる。したがって、前のサブフィールドでの維持放電により形成されるプライミング粒子が時間の経過に伴って消滅して、次のサブフィールドでアドレス放電が遅延するようになって、アドレス放電がよく起こらない恐れがある。特に、低い加重値を有するサブフィールド、つまり、サブフィールド（ＳＦ１）とサブフィールド（ＳＦ２）では維持放電の回数が少ないため、維持放電により形成されるプライミング粒子が充分でない。したがって、アドレス放電がさらに遅延するため、アドレス放電がよく起こらない。以下では、安定的にアドレス放電を遂行する実施形態について、図４及び図５を参照して詳細に説明する。
【００１７】
図４は、本発明の第２実施形態によるＰＡＬ方式でのサブフィールド配列を示した図である。
図４に示したように、本発明の第２実施形態では第１実施形態とは違って、ＮＴＳＣ方式に比べて残る一つのフレームの時間（３.３３ｍｓ）をアドレス期間に割り当てる。つまり、アドレス期間（Ａｐ２）が第１実施形態によるアドレス期間（Ａｐ１）より長くなる。このようにアドレス期間が長くなればアドレスパルス幅を長くすることができ、これによってアドレス放電遅延を減らすことができる。
【００１８】
図５は、図４に示されたサブフィールドでの駆動波形を示した図である。
図５に示したように、リセット期間の上昇期間では、維持電極（Ｘ）を０Ｖに維持した状態で走査電極（Ｙ）の電圧をＶｓ電圧からＶｓｅｔ電圧まで増加させる。そうすると、走査電極（Ｙ）からアドレス電極（Ａ）及び維持電極（Ｘ）へ各々弱いリセット放電が起こりながら、走査電極（Ｙ）に（−）の壁電荷が形成され、アドレス電極（Ａ）及び維持電極（Ｘ）に（＋）の壁電荷が形成される。
リセット期間の下降期間では、維持電極（Ｘ）をＶｅ電圧に維持した状態で、走査電極（Ｙ）の電圧をＶｓ電圧からＶｎｆ電圧まで減少させる。そうすると、走査電極（Ｙ）の電圧が減少する途中で、走査電極（Ｙ）と維持電極（Ｘ）の間及び走査電極（Ｙ）とアドレス電極（Ａ）の間で弱いリセット放電が起こりながら、走査電極（Ｙ）に形成された（−）壁電荷と、維持電極（Ｘ）及びアドレス電極（Ａ）に形成された（＋）壁電荷とが消去され、放電セルが初期化される。
【００１９】
次に、アドレス期間では、点灯されるセルを選択するために、走査電極（Ｙ）とアドレス電極（Ａ）に各々ＶｓｃＬ電圧を有する走査パルス及びＶａ電圧を有するアドレスパルスを印加する。そして、選択されない走査電極（Ｙ）は、ＶｓｃＬ電圧より高いＶｓｃＨ電圧でバイアスし、点灯されないセルのアドレス電極には基準電圧を印加する。そうすると、アドレス電圧（Ｖａ）と走査電圧（ＶｓｃＬ）の差、及びアドレス電極（Ａ）及び走査電極（Ｙ）に形成された壁電荷による壁電圧によってアドレス放電が起こる。その結果、走査電極（Ｙ）には（＋）の壁電荷が形成され、維持電極（Ｘ）には（−）壁電荷が形成される。また、アドレス電極（Ａ）にも（−）壁電荷が形成される。この時、走査パルスの幅（Ｔ１）が従来に比べて長くなるので、アドレス放電がアドレスパルス幅内で行われることができるので、アドレス放電を安定的に遂行することができる。
【００２０】
次に、維持期間では、走査電極（Ｙ）と維持電極（Ｘ）に、ハイレバル電圧（図５ではＶｓ電圧）とローレベル電圧（図５では０Ｖ）を有する維持放電パルスを反対位相に印加する。つまり、走査電極（Ｙ）にＶｓ電圧が印加される場合、維持電極（Ｘ）に０Ｖ電圧が印加され、維持電極（Ｘ）にＶｓ電圧が印加される場合、走査電極（Ｘ）に０Ｖ電圧が印加される。そうすると、アドレス期間で、アドレス放電によって走査電極（Ｙ）と維持電極（Ｘ）との間に壁電圧が形成されていれば、壁電圧とＶｓ電圧によって走査電極（Ｙ）と維持電極（Ｘ）で放電が起こる。
その後、走査電極（Ｙ）と維持電極（Ｘ）に維持放電パルスを印加する過程が、当該サブフィールドが表示する加重値に対応する回数だけ繰り返される。
【００２１】
以上、本発明の実施形態について詳細に説明したが、本発明の権利範囲はこれに限定されるものではなく、特許請求の範囲で定義している本発明の基本概念を利用した当業者のいろいろな変形及び改良形態もまた本発明の権利範囲に属する。
【図面の簡単な説明】
【００２２】
【図１】従来の一つのフレームを構成するサブフィールドの配列を示した図である。
【図２】本発明の第１実施形態によるプラズマ表示装置を示す図である。
【図３】本発明の第１実施形態によるＰＡＬ方式でのサブフィールド配列を示した図である。
【図４】本発明の第２実施形態によるＰＡＬ方式でのサブフィールド配列を示した図である。
【図５】図４に示されたサブフィールドでの駆動波形を示した図である。
【符号の説明】
【００２３】
１００  プラズマ表示パネル
２００  制御部
３００  アドレス電極駆動部
４００  走査電極駆動部
５００  維持電極駆動部
【図１】
2006171690.tif 000003
【図２】
2006171690.tif 000004
【図３】
2006171690.tif 000005
【図４】
2006171690.tif 000006
【図５】
2006171690.tif 000007